(57)【要約】【課題】リハビリの運用効率を向上させることができるリハビリテーション支援システムを提供すること。【解決手段】リハビリを行っている患者の生体情報をモニタリングするセンター端末１００とは別の管理端末３００にコメント作成機能を設け、センター端末１００から管理端末３００にリハビリ中の患者を通知するようにしたことにより、患者の安全を確保しつつ、リハビリの運用効率を向上させることができるリハビリテーション支援システムを実現し得る。【選択図】図１
2015132956.tif 000002
【特許請求の範囲】
【請求項１】
リハビリを行っている患者の生体情報をモニタリングする第１の端末と、
患者毎のリハビリデータの履歴を格納する第２の端末と、
を有し、
前記第２の端末は、コメント作成機能を有する、
リハビリテーション支援システム。
【請求項２】
前記第１の端末は、前記第２の端末に、現在リハビリ中の患者を示す情報を通知する機能を有し、
前記第２の端末は、前記第１の端末から通知された前記リハビリ中の患者を表示する、
請求項１に記載のリハビリテーション支援システム。
【請求項３】
前記第２の端末は、前記第１の端末からリハビリ中であると通知された患者に関するコメントの作成を許可する、
請求項２に記載のリハビリテーション支援システム。
【請求項４】
前記第２の端末は、作成されたコメントを、前記第１の端末から送られる該当患者のリハビリデータに紐付けて格納する、
請求項１から請求項３のいずれか一項に記載のリハビリテーション支援システム。
【発明の詳細な説明】
【技術分野】
【０００１】
本発明は、リハビリテーション（以下「リハビリ」と略記することもある）支援システムに関する。
【背景技術】
【０００２】
リハビリの運動実績を管理する装置が、例えば特許文献１及び特許文献２で開示されている。
【０００３】
特許文献１には、患者が行うリハビリテーション運動による運動情報を分析し、複数の患者の運動機能の履歴全般について管理するリハビリテーション管理装置が提案されている。特許文献２には、リハビリテーションの多数の評価項目の評価値が、総体として、良い方へ向かっているのか、変化が無いのか、或いは、悪い方へ向かっているのかを、所望の時点まで遡って容易に把握できるようにしたリハビリテーション支援装置が提案されている。
【先行技術文献】
【特許文献】
【０００４】
【特許文献１】特開２００５−３５２６８６号公報
【特許文献２】特開２０１０−１０８４３０号公報
【発明の概要】
【発明が解決しようとする課題】
【０００５】
ところで、リハビリを管理するにあたって、リハビリ中の患者の状況などを「コメント」として記録しておくことがある。この「コメント」の記録は、医師、理学療法士、看護師などの医療従事者によって行われる。従来、この「コメント」は、リハビリ終了後にプリンターにより印刷されるレポートの所定位置に、医療従事者によって手書きで記入される。
【０００６】
一方で、リハビリを行うにあたっては例えば８人で１グループが構成され、８人のリハビリが同じ時間帯で行われる。そして、８人のリハビリが終了した後に、医療従事者は上記「コメント」を記入する。
【０００７】
このため、複数の患者の「コメント」をリハビリ終了後に順番に記入することになるため、レポート作成に時間がかかり、リハビリの運用効率が悪くなる問題があった。
【０００８】
本発明は、以上の点を考慮してなされたものであり、リハビリの運用効率を向上させることができるリハビリテーション支援システムを提供する。
【課題を解決するための手段】
【０００９】
本発明のリハビリテーション支援システムの一つの態様は、
リハビリを行っている患者の生体情報をモニタリングする第１の端末と、
患者毎のリハビリデータの履歴を格納する第２の端末と、
を有し、
前記第２の端末は、コメント作成機能を有する。
【発明の効果】
【００１０】
本発明によれば、リハビリの運用効率を向上させることができるようになる。
【図面の簡単な説明】
【００１１】
【図１】実施の形態に係るリハビリテーションシステムの全体構成を示す図
【図２】コメント作成時における管理端末の表示画面を示す図
【図３】コメント作成時における管理端末の表示画面を示す図
【発明を実施するための形態】
【００１２】
以下、本発明の実施の形態について、図面を参照して詳細に説明する。
【００１３】
＜システム構成＞
図１は、本発明の実施の形態に係るリハビリテーションシステムの全体構成を示す概略図である。
【００１４】
リハビリテーションシステム１０は、センター端末１００と、運動負荷装置２００と、管理端末３００と、を有する。センター端末１００及び運動負荷装置２００は、リハビリ室に配置されている。管理端末３００は、リハビリ室に配置されていてもよいし、リハビリ室以外に配置されていてもよい。
【００１５】
センター端末１００は、生体情報を取得して表示することを主たる機能として有する。また、本実施の形態の場合、センター装置１００は、運動負荷装置２００を制御する機能も有する。管理端末３００は、各患者の運動実績データ及び生体情報を含むデータを蓄積することを主たる機能として有する。
【００１６】
センター端末１００は、運動負荷装置２００に接続されており、運動負荷装置２００に向けて制御信号を出力するとともに、運動負荷装置２００から運動実績データを入力する。なお、本実施の形態では、センター端末１００が運動負荷装置２００に接続されている場合について述べるが、本発明はこれに限らない。つまり、運動負荷装置２００をセンター端末１００によって制御するのではなく、運動負荷装置２００に直接設定値を入力するなどして運動負荷装置２００を動作させてもよい。また、センター端末１００による運動実績データの取得方法も、運動負荷装置２００から入力する方法に限らない。運動実績データはキーボード１１１等の入力手段を使ってユーザーが入力するようにしてもよいし、患者がリハビリを実行したことをもってその患者が予め設定した設定値（スケジュール値）の運動を行ったと見なしてこの設定値を運動実績データとしてもよい。
【００１７】
センター端末１００は、リハビリ中の患者の運動実績データ及び生体情報を一時保存し、それを表示部に表示する。また、センター端末１００は、リハビリを行う患者の過去のデータを管理端末３００から読み出して、これを現在のデータに対する比較参照のために表示部に表示することもできる。
【００１８】
リハビリが終了した患者の運動実績データ及び生体情報は、センター端末１００から管理端末３００に送られ、管理端末３００に格納される。リハビリを行う度に運動実績データ及び生体情報が追加され、これが管理端末３００に格納される。本実施の形態の例では、センター端末１００はメモリに５０件程度の運動実績データ、生体情報、患者情報を格納可能なのに対して、管理端末３００はハードディスクに１０万件程度の運動実績データ、生体情報、患者情報を格納可能となっている。
【００１９】
センター端末１００には、ハブ１１を介して複数（例えば８台）の運動負荷装置２００が並列に接続可能とされており、センター端末１００は複数の運動負荷装置２００を独立かつ同時に制御できるとともに、複数の運動負荷装置２００からの運動実績データを同時に入力できるようになっている。これにより、リハビリテーションシステム１０は、複数人（例えば８人）の患者のリハビリを同時に行うことができる。
【００２０】
センター端末１００は、患者ごとの運動負荷を設定可能である。センター端末１００を使用するのは医療従事者であり、医療従事者はキーボード１１１やマウス１１２などの入力手段を用いて患者ごとの運動負荷を設定する。運動負荷装置２００によるリハビリの開始及び終了のタイミングもセンター端末１００によって制御される。例えば、医療従事者はリハビリを行っている患者の様子を見ながら、センター端末１００を使って運動負荷装置２００を緊急停止させることもできる。
【００２１】
実際には、センター端末１００から出力された制御信号は、ハブ１１及び負荷コントローラ２０３を介してトレッドミル２０１及びエルゴメータ２０２などからなる運動負荷装置２００に供給される。また、運動負荷装置２００から出力された回転数などの情報が負荷コントローラ２０３及びハブ１１を介して運動実績データとしてセンター端末１００に入力される。なお、センター端末１００は、ディスプレイをタッチパネル構成とすることで、キーボード１１１やマウス１１２などの入力手段を省略してもよい。
【００２２】
負荷コントローラ２０３には血圧計２０４が接続可能となっており、血圧計２０４により得られた血圧値が負荷コントローラ２０３及びハブ１１を介してセンター端末１００に入力される。ハブ１１には、テレメータ送信機４０１からの無線信号を受信するテレメータ受信機４０２が接続可能となっている。テレメータ送信機４０１は、リハビリを行っている患者に装着され、心電図データ（ＥＣＧ）及び酸素飽和度（ＳｐＯ２）などを測定し、これを無線送信する。テレメータ受信機４０２は、テレメータ送信機４０１からの信号を受信しこれを復調する。復調後の信号はハブ１１を介してセンター端末１００に送られる。
【００２３】
このように、センター端末１００には、リハビリを行っている患者の運動実績データに加えて、血圧値、心電図データ（ＥＣＧ）及び酸素飽和度（ＳｐＯ２）などの生体情報が入力される。なお、センター端末１００には、生体情報として、体重やＢＭＩ(Body Mass Index)などを入力してもよい。この生体情報は、センター端末１００に体組成計などの計測装置を接続して計測装置から直接入力されてもよく、キーボード１１１やマウス１１２などの入力手段を用いて医療従事者によって入力されてもよい。
【００２４】
さらに、センター端末１００及び管理端末３００は、ハブ１２を介してプリンター１３及び院内ネットワークに接続されている。これにより、管理端末３００によって作成された患者宛のレポートをプリンター１３によって印刷することができる。また、センター端末１００の表示部に表示されているリハビリ実行中の画面を院内ネットワークに接続された他の端末のディスプレイで見ることができる。また、管理端末３００に格納されたリハビリに関するデータを院内ネットワークに接続された他の端末に送ることができる。さらに、センター端末１００には外部ディスプレイ１４が接続されている。外部ディスプレイ１４は、例えばセンター装置１００のディスプレイを見ることができない位置に配置されており、これにより医療従事者は外部ディスプレイ１４によってセンター装置１００の画面と同じ画面を見ながらリハビリを実施できる。さらに、センター端末１００はリモコン１５によって遠隔操作できるようになっており、これによりセンター端末１００から離れたところにいる医療従事者はリモコン１５を用いて運動負荷装置２００を緊急停止させるなどの操作を行うことができる。
【００２５】
＜コメントの作成＞
上述した構成に加えて、センター端末１００は、管理端末３００に、現在リハビリ中の患者を示す情報を通知する機能を有する。センター端末１００は、どの患者がどの運動負荷装置２００を使用してリハビリを行うのかを設定する機能を有している。そして、センター端末１００は、設定した現在リハビリ中である患者の情報を管理端末３００に通知する。実際には、センター端末１００は、患者毎の、リハビリの開始及び終了を示すデータを通知する。センター端末１００は、リハビリが終了したらリハビリの結果データを管理端末３００に送信する。
【００２６】
管理端末３００は、各患者についてのコメントを作成する機能を有する。コメント作成機能とは、いわゆるワードプロセッサーとしての機能であり、管理端末３００は、ディスプレイにコメント作成画面を表示し、ユーザーによってキーボード３１１を介して入力されたコメントを受け付けて記憶する。
【００２７】
また、管理端末３００は、センター端末１００から通知された現在リハビリ中の患者をディスプレイに表示する。これにより、管理端末３００のユーザーは、リハビリ中の患者のコメントを容易に作成できるようになる。
【００２８】
さらに、本実施の形態の場合、管理端末３００は、リハビリ中の患者の状態を記述するためのコメント（本実施の形態の場合、これを「患者向けコメント」と呼ぶ）に関しては、センター端末１００からリハビリ中であると通知された患者に対してのみコメントの作成を許可するようになっている。これにより、今回のリハビリ対象者以外のコメントが誤って作成されることを防止できるので、コメントの信憑性を高めることができる。
【００２９】
図２及び図３に、コメント作成時における管理端末３００の表示画面を示す。先ず、図２に示すように、画面左側に、今回の同一時間帯にリハビリを行う予定のリハビリ対象の患者リストが表示される。また、そのリスト中の各患者のリハビリ実施状況が表示される。センター端末１００からリハビリ中であると通知された患者については、実施状況の欄に「運動中」と表示されている。そして、リハビリ中の患者の中から、ユーザーが特定の患者を選択すると、その患者のリハビリ経過情報（実施回数、総Ｔｒ（トレーニング）時間、平均Ｔｒ（トレーニング）時間）及び実施日時が画面右側に表示される。因みに、図２の例では、選択された「佐藤浩太」さんのリハビリ実施回数が１回なので、実施リストも１つであるが、例えば実施回数が５回であれば、５回分の実施リストが縦に並んで表示される。
【００３０】
次に、ユーザーが実施リストのうちのいずれか１つを選択し、「レポート編集」のアイコンＴ１を操作すると、管理端末３００には、図３に示すようなレポート編集画面が表示される。そして、ユーザーがレポート編集画面における「コメント」のアイコンＴ２を操作すると、コメント欄への入力が可能となる。
【００３１】
ユーザーによるコメント作成が終了し、さらに、センター端末１００からリハビリの結果データが送られてくると、管理端末３００は作成されたコメントをセンター端末１００から送られてきた該当患者のリハビリデータに紐付けて格納する。
【００３２】
ここで、図３に示すように、コメントには、患者向けコメントと、スタッフ間コメントと、がある。スタッフ間コメントは、医師がリハビリを行うスタッフ（理学療法士、看護師など）に向けて記入した申し送りのためのコメントである。つまり、このコメントには今回のリハビリをどのように行うかの指示などが記入される。患者向けコメントは、患者に渡すレポートに記入されるコメントである。この患者向けコメントは、リハビリ中（運動中）の患者の調子などを書き込むためのものであり、本実施の形態の場合には、リハビリが開始されてからでないと編集できないようになっている。つまり、上述した、センター端末１００からリハビリ中であると通知された患者に対してのみ作成が許可され、リハビリ中の患者の状態を記述するためのコメントとは、この患者向けコメントのことである。
【００３３】
ユーザーは、ある患者のコメントの作成を終了すると、リハビリ中（運動中）であると表示された次の患者を選択して同様にコメントを作成する。このようにして、ユーザーは、リハビリ中（運動中）に、リハビリ中（運動中）である患者のコメントを管理端末３００を用いて順次作成できる。
【００３４】
この結果、リハビリが終了してからコメントを作成する場合と比較して、リハビリの運用効率を向上させることができる。
【００３５】
ここで、本実施の形態では、センター端末１００でコメントの作成を行うのではなく、センター端末１００とは別の端末でコメント作成を行うようにしたことにより、センター端末１００の主たる機能であるモニタリングに支障をきたすことなくコメントの作成を行うことができる。つまり、センター端末１００でコメント作成を行ってしまうと、コメント作成を行う時間は生体情報を見ることができなかったり、画面をコメント作成画面とモニタ画面に分割したとしても生体情報をモニタするための画面が小さく制限されて生体情報が見にくくなる、といった問題が生じる。この結果、リハビリを行っている患者の異常発見が遅れるといった重大な問題が生じるおそれもある。本実施の形態ではこのような問題を回避して、患者の安全を確保しつつ、効率的なコメント作成を行うことができる。
【００３６】
なお、本実施の形態は、リハビリは単なる心電図検査などとは異なり１回の実施時間が長く、この時間を有効に使ってコメントを作成することにより、運用効率を向上させるという発想に基づいている。
【００３７】
以上説明したように、本実施の形態によれば、リハビリを行っている患者の生体情報をモニタリングするセンター端末１００とは別の管理端末３００にコメント作成機能を設けたことにより、患者の安全を確保しつつ、リハビリの運用効率を向上させることができるリハビリテーション支援システムを実現し得る。
【００３８】
なお、上述の実施の形態では、リハビリ中（運動中）にコメントを作成する場合について述べたが、必ずしもリハビリ中（運動中）にコメントを作成する必要はなく、勿論、リハビリが終了した後でもコメントを作成することはできる。
【００３９】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００４０】
本発明は、コメントを作成可能なリハビリテーション支援システムに広く適用し得る。
【符号の説明】
【００４１】
１０  リハビリテーションシステム
１１、１２  ハブ
１３  プリンター
１４  外部ディスプレイ
１５  リモコン
１００  センター端末
１１１、３１１  キーボード
１１２、３１２  マウス
２００  運動負荷装置
２０１  トレッドミル
２０２  エルゴメータ
２０３  負荷コントローラ
２０４  血圧計
３００  管理端末
４０１  テレメータ送信機
４０２  テレメータ受信機
【図１】
2015132956.tif 000003
【図２】
2015132956.tif 000004
【図３】
2015132956.tif 000005